(57)【要約】【課題】長手方向に引っ張られたときに波状の形状が平坦状の形状に変形することを抑制することができる電気集塵機用集塵電極を提供する。【解決手段】アルミニウム製の帯状の導電部材幅方向中央部に、長手方向に沿って、所定の幅ｈを有する直線状の平坦部１０２が形成してあり、この平坦部１０２の導電部材幅方向両側に、長手方向に凹凸が反復される波状の凹凸部１０４，１０６が形成してある。電気集塵機用集塵電極としての集塵電極１００の長手方向の変形は、平坦部１０２が長手方向に引っ張られても延びないことによって抑制され、この結果、凹凸部１０４，１０６が平坦になることなく、集塵電極１００，１００を重ねて巻き取ったときの集塵電極１００，１００間の間隔変動が抑制され、空気との接触面積が増大して、集塵能力が格段に向上する。【選択図】図１
0003129346.tif 000002
【実用新案登録請求の範囲】
【請求項１】
電気集塵機の塵捕集部に配される電気集塵機用集塵電極において、
帯状の導電部材を用いてなり、
前記導電部材の幅方向の中央部に、長手方向に沿って、所定の幅を有する線状の平坦部が形成してあり、
該平坦部の前記幅方向の両側に、長手方向に凹凸が反復される波状の凹凸部が形成してあることを特徴とする電気集塵機用集塵電極。
【請求項２】
前記凹凸部は、前記平坦部を対称軸とする略対称形状に形成されていることを特徴とする請求項１に記載の電気集塵機用集塵電極。
【請求項３】
前記平坦部の前記幅方向の一側の前記凹凸部と他側の前記凹凸部とが千鳥配置されていることを特徴とする請求項１に記載の電気集塵機用集塵電極。
【請求項４】
前記導電部材は、アルミニウムを用いてなることを特徴とする請求項１乃至３の何れか一項に記載の電気集塵機用集塵電極。
【考案の詳細な説明】
【技術分野】
【０００１】
本考案は、電気集塵機の塵捕集部に配される電気集塵機用集塵電極に関する。
【背景技術】
【０００２】
電気集塵機は、空気清浄機、空気調和機等の集塵装置として利用され、塵、埃等、空気中の微細な粒子である汚染物質を放電によってイオン化し、この汚染物質を強力な集塵力を持った電気集塵機用集塵電極（以下、単に集塵電極ともいう）に吸着させて空気を浄化する。
【０００３】
更に詳細には、電気集塵機に吸入された空気中の汚染物質は、高電圧によって（＋）電荷を帯び、この（＋）電荷を帯びた汚染物質が、塵捕集部に配されている陽極としての集塵電極と陰極としての集塵電極との間を通過しながら、陽極から斥力を受け、陰極から引力を受けることによって、陰極としての集塵電極に吸着する。このため、空気中から汚染物質が除去される。
このような集塵電極は、空気との接触面積を増大させて集塵能力を向上させるために、断面波形状に形成されている（特許文献１参照）。
【０００４】
図５は、従来の集塵電極１６，１８を備える電気集塵機の塵捕集部の分解斜視図である。また、図６は、従来の集塵電極１６を示す平面図であり、図７は、同じく幅方向側面図である。
集塵電極１６，１８は、略同一の形状をなしており、一方が陽極として用いられ、他方が陰極として用いられる。図６及び図７では、集塵電極１６を例示してある。
【０００５】
各集塵電極１６，１８は帯状であって、薄板状又はフィルム状のアルミニウムを用いてなる。図６及び図７に示すように、集塵電極１６は長手方向に凹凸が反復される波状であり、更に詳細には、長手方向に一定間隔毎に一面側及び他面側へ交互に突出する折曲突起１６ａ，１６ａ，…が形成されている。
このような集塵電極１６，１８は、各集塵電極１６，１８の両面に被覆紙を密着させた状態で重ねられ、更に、所定の長手方向長さだけ長手方向に巻き取られることによって、所要の空間を占めるロール状の塵捕集体となる。
【０００６】
このとき、集塵電極１６の両面に突出している折曲突起１６ａ，１６ａ，…と集塵電極１８の両面に突出している複数の折曲突起とをスペーサとして、巻き取られた集塵電極１６と集塵電極１８との間に空隙が設けられる。更に、この巻き取られた集塵電極１６と集塵電極１８とが略一定距離で離隔するよう塵捕集体を弛緩及び／又は膨張させる整形作業が行なわれる。このような整形作業においては、集塵電極１６の折曲突起１６ａ，１６ａ，…と集塵電極１８の折曲突起とがスペーサとなるため、集塵電極１６と集塵電極１８との間に略一定距離の空隙を設けることは容易である。
【０００７】
以上のようにして形成された塵捕集体としての集塵電極１６，１８は、電気集塵機の塵捕集部に配される。
このために、電気集塵機の塵捕集部には、底面に空気流入用の孔が形成されている箱体８と、天面に空気流出用の孔が形成されており、箱体８の天部開口を覆う蓋体１３とが備えられており、金属網を用いてなるフィルタ１２と、塵捕集体としての集塵電極１６，１８とが箱体８内部に装着されている。
【０００８】
電気集塵機の塵捕集部に吸入された空気は、集塵電極１６と集塵電極１８との間の空隙を通過しながら、例えば陽極としての集塵電極１６から斥力を受け、陰極としての集塵電極１８から引力を受けて、集塵電極１８に吸着する。
【特許文献１】実公平２−３１１５６号公報
【考案の開示】
【考案が解決しようとする課題】
【０００９】
しかしながら、従来の集塵電極１６は、長手方向に凹凸が反復される単純な波状であるため、長手方向に巻き取られることによって集塵電極１６が長手方向に引っ張られたとき、折曲突起１６ａ，１６ａ，…が集塵電極１６の長手方向に開かれて、集塵電極１６が平坦に変形することがある。
【００１０】
平坦な集塵電極１６，１８が重ねられた場合、集塵電極１６と集塵電極１８とが全体的に近接して、集塵電極１６，１８間の空隙が小さくなる。この結果、集塵電極１６，１８を用いてなる塵捕集体の密度が高くなり、所要の体積の塵捕集体を形成するためには、集塵電極１６，１８の長手方向長さの必要量が増大することになる。
【００１１】
また、平坦な集塵電極１６，１８間には、一定の離隔距離を有する空隙を設けることが困難である。しかも、平坦な集塵電極１６，１８間の離隔距離は、揺れ、衝撃等で変化し易い。
このため、電気集塵機の塵捕集部を通過する空気の流量が不均一になり、また、空気の流量が低下することもある。しかも、平坦な集塵電極１６，１８夫々の空気との接触面積は、波状の集塵電極１６，１８夫々の空気との接触面積よりも小さい。
以上のことから、電気集塵機の集塵能力が低下する。
【００１２】
本考案は斯かる事情に鑑みてなされたものであり、その主たる目的は、帯状の導電部材の長手方向に沿って平坦部が形成してあり、平坦部の両側に凹凸部が形成してあることにより、長手方向に引っ張られたときに凹凸部が平坦に変形することを抑制することができる電気集塵機用集塵電極を提供することにある。
【００１３】
本考案の他の目的は、平坦部の両側の凹凸部が平坦部を中心に対称形状であることにより、電気集塵機の集塵能力を向上させることができる電気集塵機用集塵電極を提供することにある。
【００１４】
本考案の他の目的は、平坦部の両側の凹凸部が千鳥配置であることにより、電気集塵機の集塵能力を向上させることができる電気集塵機用集塵電極を提供することにある。
【００１５】
本考案の更に他の目的は、導電部材がアルミニウム製であることにより、所要の形状を容易に形成することができる電気集塵機用集塵電極を提供することにある。
【課題を解決するための手段】
【００１６】
第１考案に係る電気集塵機用集塵電極は、電気集塵機の塵捕集部に配される電気集塵機用集塵電極において、帯状の導電部材を用いてなり、前記導電部材の幅方向の中央部に、長手方向に沿って、所定の幅を有する線状の平坦部が形成してあり、該平坦部の前記幅方向の両側に、長手方向に凹凸が反復される波状の凹凸部が形成してあることを特徴とする。
【００１７】
第２考案に係る電気集塵機用集塵電極は、前記凹凸部は、前記平坦部を対称軸とする略対称形状に形成されていることを特徴とする。
【００１８】
第３考案に係る電気集塵機用集塵電極は、前記平坦部の前記幅方向の一側の前記凹凸部と他側の前記凹凸部とが千鳥配置されていることを特徴とする。
【００１９】
第４考案に係る電気集塵機用集塵電極は、前記導電部材は、アルミニウムを用いてなることを特徴とする。
【考案の効果】
【００２０】
第１考案の電気集塵機用集塵電極による場合、帯状の導電部材の幅方向中央部に、長手方向に沿って、所定の幅を有する線状の平坦部が形成してあり、平坦部の導電部材幅方向両側に、長手方向に凹凸が反復される波状の凹凸部が形成してある。
平坦部は、凹凸部に比べて、導電部材長手方向の引っ張りに対する変形量が小さい。このため、導電部材が長手方向に引っ張られたとき、平坦部が導電部材全体の長手方向への変形を抑制し、この変形の抑制に伴って、凹凸部の長手方向への変形も抑制される。
この結果、波状の電気集塵機用集塵電極が平坦な電気集塵機用集塵電極に変形することを抑制することができる。
【００２１】
このような波状の電気集塵機用集塵電極が複数枚積層された状態でロール状に巻き取られることによって、塵捕集体が形成される。このとき、積層されている電気集塵機用集塵電極の間に、例えば各電気集塵機用集塵電極の凹凸部の凸部をスペーサとして、一定の離隔距離を有する空隙が容易に設けられる。
このため、本考案の電気集塵機用集塵電極を用いてなる塵捕集体の密度が低くなる。そして、所要の体積の塵捕集体を形成するために用いられる電気集塵機用集塵電極の長手方向長さの必要量が余分に増加するという不具合が抑制される。
【００２２】
また、波状の電気集塵機用集塵電極の間の離隔距離は、例えば各電気集塵機用集塵電極の凹凸部の凸部がスペーサとなるため、揺れ、衝撃等で変化し難い。
この結果、電気集塵機の塵捕集部を通過する空気の流量が略均一になり、また、空気の流量が低下する不具合が抑制される。しかも、波状の電気集塵機用集塵電極の空気との接触面積は、平坦な電気集塵機用集塵電極の空気との接触面積よりも大きい。
【００２３】
以上のことから、最小限の電気集塵機用集塵電極を用いて、電気集塵機の集塵能力を向上させることができる。
【００２４】
第２考案の電気集塵機用集塵電極による場合、凹凸部が、平坦部を対称軸とする略対称形状に形成されていることによって、電気集塵機用集塵電極がロール状に巻き取られてなる塵捕集体の内部に形成される空気流通路の形状が単純になる。
このため、塵捕集体に対して空気が円滑に流入出することができ、電気集塵機器の集塵能力を更に向上させることができる。また、空気の流入出が阻害されることによる騒音の発生を抑制することができる。
更にまた、対称形状の電気集塵機用集塵電極は外観の意匠性が向上される。
【００２５】
第３考案の電気集塵機用集塵電極による場合、凹凸部が、平坦部の導電部材幅方向一側と他側とで千鳥配置されている。つまり、導電部材幅方向一側の凹部及び凸部と導電部材幅方向他側の凹部及び凸部とが互い違いに形成されている。
【００２６】
このような電気集塵機用集塵電極を用いてなるロール状の塵捕集体に外部から揺れ、衝撃等が加えられたとき、電気集塵機用集塵電極の千鳥配置された凹凸部が外力を効果的に分散させるため、積層されている電気集塵機用集塵電極の間に設けられている一定の離隔距離を有する空隙が維持される。
この結果、電気集塵機の塵捕集部を通過する空気の流量が略一定になり、また、空気の流量が低下する不具合が抑制されるため、電気集塵機器の集塵能力を更に向上させることができる。
【００２７】
また、凹凸部が、平坦部の導電部材幅方向一側と他側とで千鳥配置されていることによって、電気集塵機用集塵電極がロール状に巻き取られてなる塵捕集体の内部に形成される空気流通路の形状が複雑になる。
このため、塵捕集体に対して流入出する空気が電気集塵機用集塵電極に接触する量を増大させることができ、この結果、電気集塵機器の集塵能力を更に向上させることができる。
【００２８】
第４考案の電気集塵機用集塵電極による場合、アルミニウム製の導電部材に、平坦部と凹凸部とが形成してある。このような電気集塵機用集塵電極の形状は複雑であるが、加工が容易なアルミニウムを用いて例えば成型することによって、所用の形状を容易に形成することができる。
【考案を実施するための最良の形態】
【００２９】
以下、本考案を、その実施の形態を示す図面に基づいて詳述する。
【００３０】
実施の形態  １．
図１は、本考案の実施の形態１に係る電気集塵機用集塵電極としての集塵電極１００を示す平面図であり、図２及び図３は、集塵電極１００を示す幅方向側面図及び長手方向側面図である。
【００３１】
集塵電極１００は、薄板帯状又はフィルム帯状のアルミニウム製の導電部材を所要の形状に成型加工することによって形成されており、本実施の形態においては約０．１ｍｍの厚みを有する。
図１に示すように、集塵電極１００は、導電部材幅方向中央部に、長手方向に沿って、所定の幅ｈを有する直線状の平坦部１０２が形成してあり、この平坦部１０２の導電部材幅方向一側に、長手方向に凹凸が反復される波状の凹凸部１０４が形成してあり、平坦部１０２の導電部材幅方向他側に、凹凸部１０４と略同様の凹凸部１０６が形成してある。
【００３２】
図１〜図３に示す集塵電極１００における凹凸部１０４，１０６は、平坦部１０２を対称軸として、略対称形状に形成されている。つまり、集塵電極１００の長手方向に関し、凹凸部１０４が有する凸部（又は凹部）と凹凸部１０６が有する凸部（又は凹部）とは、略同一位置に配されている。
【００３３】
このような集塵電極１００を２枚用いて、塵捕集体が形成される。
集塵電極１００，１００は、各集塵電極１００の両面に図示しない被覆紙を密着させた状態で積層され、更に、所定の長手方向長さだけ長手方向に巻き取られることによって、所要の空間を占めるロール状の塵捕集体となる。
【００３４】
ここで、長手方向に巻き取られる各集塵電極１００が長手方向に引っ張られたとき、平坦部１０２には凹凸が形成されていないため、集塵電極１００を長手方向に引っ張る力が平坦部１０２に伝達されても、平坦部１０２は長手方向にほとんど変形しない。この結果、各集塵電極１００の長手方向の長さが、平坦部１０２の長手方向の長さまでに制限され、各集塵電極１００の凹凸部１０４，１０６が長手方向に引っ張られて延びることが抑制される。つまり、平坦部１０２は、集塵電極１００が長手方向に変形することを抑制する手段として機能する。
このため、各集塵電極１００は、長手方向に引っ張られても平坦になることなく、波状の形状を維持したまま、ロール状の塵捕集体となる。
【００３５】
各波状の集塵電極１００，１００は、例えば集塵電極１００，１００夫々の両面に突出している凹凸部１０４，１０６の凸部をスペーサとして、巻き取られた集塵電極１００，１００間に空隙が容易に設けられる。更に、この巻き取られた集塵電極１００，１００が略一定距離で離隔するよう塵捕集体を弛緩及び／又は膨張させる整形作業が行なわれる。
以上のようにして形成された塵捕集体としての集塵電極１００，１００は、図５に示す従来の集塵電極１６，１８と同様に、図示しない集塵電気集塵機の塵捕集部に配される。
【００３６】
電気集塵機の塵捕集部に吸入された空気は、集塵電極１００，１００間の略一定の離隔距離を有する空隙を通過しながら、陽極としての集塵電極１００から斥力を受け、陰極としての集塵電極１００から引力を受けて、この集塵電極１００に吸着する。
【００３７】
各集塵電極１００の凹凸部１０４，１０６は、空気中の塵、埃等の汚染物質を効率よく集塵すべく、空気と集塵電極１００との接触面積を増大させるための手段として機能する。このため、仮に、平坦部１０２の幅ｈが大きすぎると、凹凸部１０４，１０６が小さくなり、電気集塵機の集塵能力が低下する。一方、仮に、平坦部１０２の幅ｈが小さすぎると、集塵電極１００が長手方向に変形することを抑制する手段としての平坦部１０２の機能が十分に発揮されない。以上のことから、平坦部１０２の幅ｈとしては、平坦部１０２の機能と凹凸部１０４，１０６の機能とを両立する適切な数値を用いることが望ましい。
【００３８】
以上のような集塵電極１００，１００を用いてなる塵捕集体においては、積層されている集塵電極１００，１００間に、一定の離隔距離を有する空隙が容易に設けられている。この結果、所要の体積の塵捕集体を形成するために用いられる集塵電極１００の長手方向長さの必要量が余分に増加することがない。
【００３９】
また、波状の集塵電極１００，１００間の離隔距離は、揺れ、衝撃等で変化し難い。
このため、電気集塵機の塵捕集部を通過する空気の流量が略均一になり、また、空気の流量が低下することがない。しかも、波状の集塵電極１００，１００の空気との接触面積は、平坦な集塵電極の空気との接触面積よりも大きい。
以上のことから、最小限の集塵電極１００を用いて、電気集塵機の集塵能力が向上される。
【００４０】
実施の形態  ２．
図４は、本考案の実施の形態２に係る集塵電極１００，１００が巻き取られた状態の一部分を示す幅方向側面図である。
本実施の形態の集塵電極１００は、実施の形態１の集塵電極１００と略同様である。ただし、平坦部１０２の導電部材幅方向一側の凹凸部１０４と他側の凹凸部１０６とが千鳥配置されている。つまり、集塵電極１００の長手方向に関し、例えば凹凸部１０４が有する凹部１０４ａと、凹凸部１０６が有する凸部１０６ａとは、略同一位置に配されている。
【００４１】
以上のような波状の集塵電極１００，１００が積層された状態でロール状に巻き取られることによって、塵捕集体が形成される。このとき、塵捕集体を整形することによって、積層されている集塵電極１００，１００間に、一定の離隔距離Ｌを有する空隙が容易に設けられる。
【００４２】
このような塵捕集体に外部から揺れ、衝撃等が加えられたとき、各集塵電極１００の千鳥配置された凹凸部１０４，１０６が外力を効果的に分散させるため、離隔距離Ｌを有する空隙が容易に維持される。
このため、電気集塵機の塵捕集部を通過する空気の流量が略均一になり、また、空気の流量が低下することがない。この結果、電気集塵機の集塵能力が更に向上される。
【図面の簡単な説明】
【００４３】
【図１】本考案の実施の形態１に係る電気集塵機用集塵電極を示す平面図である。
【図２】本考案の実施の形態１に係る電気集塵機用集塵電極を示す幅方向側面図である。
【図３】本考案の実施の形態１に係る電気集塵機用集塵電極を示す長手方向側面図である。
【図４】本考案の実施の形態２に係る電気集塵機用集塵電極が巻き取られた状態の一部分を示す幅方向側面図である。
【図５】従来の電気集塵機用集塵電極を備える電気集塵機の塵捕集部の分解斜視図である。
【図６】従来の電気集塵機用集塵電極を示す平面図である。
【図７】従来の電気集塵機用集塵電極を示す幅方向側面図である。
【符号の説明】
【００４４】
１００  集塵電極（電気集塵機用集塵電極）
１０２  平坦部
１０４，１０６  凹凸部
【図１】
0003129346.tif 000003
【図２】
0003129346.tif 000004
【図３】
0003129346.tif 000005
【図４】
0003129346.tif 000006
【図５】
0003129346.tif 000007
【図６】
0003129346.tif 000008
【図７】
0003129346.tif 000009